(57)【特許請求の範囲】
【請求項１】
光源より記録媒体に照射されるビームのスポットよりも先端径が小さい光量検出用の光プローブによって情報が記録または再生される記録媒体であって、
記録媒体の回転方向に沿って情報記録領域と案内領域とが設けられ、
前記情報記録領域には、前記照射されるビームのスポットよりも小さいトラックピッチを有する情報トラックが、記録媒体の半径方向に沿って複数形成され、
前記案内領域には、前記ビームのスポットをトラッキングするためのトラッキング用ピットが形成されるとともに、前記光プローブを前記ビームのスポット内の位置に位置決めするための平坦領域が設けられていることを特徴とする記録媒体。
【請求項２】
前記案内領域は、前記回転方向に沿った方向に離散的に設けられていることを特徴とする請求項１記載の記録媒体。
【請求項３】
前記案内領域のトラッキング用ピットは、前記情報トラックと同数設けられ、情報トラックごとに対応させて設けられていることを特徴とする請求項１に記載の記録媒体。
【請求項４】
請求項１乃至３に記載の記録媒体に照射されたビームのスポット内に対応させて設けられ、該スポットよりも先端径が小さい光量検出用の光プローブを所望の位置に位置決めする光プローブの位置決め装置であって、
前記光プローブを移動させる移動手段と、
光プローブを用いて、前記記録媒体上の案内領域内の平坦領域における前記スポット内の光量を検出する光量検出手段と、
該光量検出手段により検出された光量に基づいて前記光プローブを移動させて所望の位置に位置決めする制御手段と、を有することを特徴とする光プローブの位置決め装置。
【請求項５】
請求項１乃至３に記載の記録媒体に照射されたビームのスポット内に対応させて設けられ、該スポットよりも先端径が小さい光量検出用の光プローブを所望の位置に位置決めする光プローブの位置決め装置であって、
前記光プローブを移動させる移動手段と、
前記光プローブを用いて、前記記録媒体上の案内領域内の平坦領域における、前記光プローブの基準位置から記録媒体の半径方向に沿って等距離にある互いに異なる２つの位置において光量を検出する光量検出手段と、
該光量検出手段により検出された、前記２つの位置における第１光量信号と第２光量信号とを減算する演算手段と、
該演算手段の演算結果に基づいて、その演算結果が前記所望の位置に対応させて指示した所定値に近づくように、前記光プローブを移動させて所望の位置に位置決めする制御手段と、を有することを特徴とする光プローブの位置決め装置。
【請求項６】
前記記録媒体に照射されたビームをトラッキングするトラッキング手段を有し、
該トラッキング手段は、前記トラッキング用ピットからの信号により前記ビームをトラッキングすることを特徴とする請求項４または５記載の光プローブの位置決め装置。
【請求項７】
前記光量検出手段の少なくとも一方から光量が検出されない場合は、前記制御手段は、前記基準位置の方向に前記光プローブを移動することを特徴とする請求項４または５記載の光プローブの位置決め装置。
【請求項８】
前記記録媒体に照射されたビームを集光制御するフォーカス制御手段と、集光状態が正常かどうかを判定する判定手段と、を有することを特徴とする請求項４または５記載の光プローブの位置決め装置。
【請求項９】
前記判定手段が正常でないと判定した場合は、前記光プローブの位置決め動作を停止することを特徴とする請求項８記載の光プローブの位置決め装置。
【発明の詳細な説明】
【０００１】
【発明の属する技術分野】
本発明は、先端径が小さい光量検出用の光プローブによりエバネッセント光を検出するいわゆる走査型近接場光学顕微鏡（ＳＮＯＭ：Ｓｃａｎｎｉｎｇ Ｎｅａｒｆｉｅｌｄ Ｏｐｔｉｃａｌ ＭｉｃｒｏＳｃｏｐｅ）を用い、記録媒体あるいはサンプルの所望の位置に光プローブを位置決めする光プローブの位置決め装置及び記録媒体に関する。
【０００２】
【従来の技術】
近年、光の回折限界を越える分解能を持つ走査型近接場光学顕微鏡（ＳＮＯＭ：Ｓｃａｎｎｉｎｇ Ｎｅａｒｆｉｅｌｄ Ｏｐｔｉｃａｌ Ｍｉｃｒｏｓｃｏｐｅ）の研究が活発に行われている。一般に物体に光を照射すると、遠くまで伝搬する光と、光照射によって物質に誘起された分極同士の相互作用によってその近傍にのみ作られる電磁場、すなわち伝搬しない光とが発生する。この伝搬しない後者の光は、エバネッセント光と呼ばれる。このエバネッセント光を波長よりも短い先端径をもつ光プローブの先端に発生させ、分解能を飛躍的に向上させた走査型顕微鏡がＳＮＯＭである。この分解能は光プローブの先端径で決まるため、先端を尖らせるほど分解能は向上する。
【０００３】
このＳＮＯＭを光メモリ装置に応用した技術が特開平７−９８８８５号公報に開示されている。これは凹凸によって微少な記録マークを記録した記録媒体に全反射する角度でレーザ光を照射する。すると記録媒体の表面近傍１００ｎｍ前後の範囲にエバネッセント光が発生するため、この記録マークからのエバネッセント光を光プローブで検出する。エバネッセント光は記録マークの有無で変化するため、情報の再生が可能である。同様にして光プローブの先端からエバネッセント光を滲み出させて情報を記録することができる。さらに、光プローブの先端径を短くすることにより、光の回折限界を超えた微少な記録マークの検出や記録が可能となり、従来の光記録媒体に比べて飛躍的に記録密度を向上させることができるものである。
【０００４】
【発明が解決しようとする課題】
ところが、上記従来の技術では、レーザ光が照射された部分でしか情報の再生あるいは記録ができず、例えば、レーザ光が照射されたスポット内で光プローブを隣接するトラック間に移動しようとすると、記録媒体の所望の位置に光プローブの位置決めを行えないという欠点があった。
【０００５】
本発明の目的は、上記問題点に鑑み、記録媒体の所望の位置に光プローブの位置決めができる光プローブの位置決め装置及び記録媒体を提供するものである。
【０００６】
【課題を解決するための手段】
本発明の光プローブの位置決め装置は、記録媒体に照射されたビームのスポット内に対応させて設けられ、該スポットよりも先端径が小さい光量検出用の光プローブを所望の位置に位置決めする光プローブの位置決め装置において、前記光プローブを移動させる移動手段と、前記記録媒体上の異なる位置における光量を検出する光量検出手段と、該光量検出手段により検出された光量に基づいて前記光プローブを移動させて所望の位置に位置決めする制御手段と、を有することを特徴とする。
【０００７】
本発明の光プローブの位置決め装置は、前記記録媒体の異なる位置における第１光量信号と第２光量信号とを減算する演算手段を有し、前記光量検出手段は、前記光プローブの基準位置から所定方向に沿って等距離で互いに異なる２つの位置において光量を検出し、前記制御手段は、前記演算手段の演算結果が前記所望の位置に対応させて指示した所定値に近づくように前記光プローブを移動させることを特徴とする。
【０００８】
本発明の光プローブの位置決め装置は、前記記録媒体に照射されたビームをトラッキングするトラッキング手段を有し、トラッキング用ピットからの信号により前記ビームを前記スポット内にトラッキングすることを特徴とする。
【０００９】
本発明の光プローブの位置決め装置は、前記光量検出手段の少なくとも一方から光量が検出されない場合は、前記制御手段は、前記基準位置の方向に前記光プローブを移動することを特徴とする。
【００１０】
本発明の光プローブの位置決め装置は、前記記録媒体に照射されたビームを集光制御するフォーカス制御手段と、集光状態が正常かどうかを判定する判定手段と、を有することを特徴とする。
【００１１】
本発明の光プローブの位置決め装置は、前記判定手段が正常でないと判定した場合は、前記光プローブの位置決め動作を停止することを特徴とする。
【００１２】
本発明の記録媒体は、記録媒体の回転方向に沿って情報記録領域と案内領域とが設けられ、前記情報記録領域には、光プローブによって情報が記録または再生され、照射されるビームのスポットよりも小さいトラックピッチを有する情報トラックが、記録媒体の半径方向に沿って複数形成され、前記案内領域には、前記ビームのスポットをトラッキングするためのトラッキング用ピットが形成されるとともに、前記光プローブを前記ビームのスポット内の位置に位置決めするための平坦領域が設けられていることを特徴とする。
【００１３】
本発明の記録媒体は、前記案内領域がトラックに沿った方向に離散的に設けられていることを特徴とする。
【００１４】
本発明の記録媒体は、前記案内領域のトラッキング用ピットが上記情報トラックごとに対応させて設けられていることを特徴とする。
【００１５】
【発明の実施の形態】
本発明を光メモリ装置に適用した場合について図１を用いて説明する。光源１から出射されたレーザの光ビームｂ１は対物レンズ２にて集光（図１では、説明の便宜上平行線で図示している）され、プリズム４（このプリズム４は、入射面４ａ、出射面４ｂ、透過面４ｃを持つ台形状のプリズムであり、以後、台形プリズム４という）を通して光記録媒体である光ディスク５の表面５ａで反射される。光ビームｂ１が台形プリズム４から光ディスク５へ透過するために、後述するように透過面４ｃと光ディスク５の裏面５ｂの間隔は数十ｎｍの間隔に制御されている。入射面４ａは光ビームｂ１の進行方向とほぼ直角な面を有しており、この面を介して光ディスク５に光ビームｂ１を入射させ、表面５ａにおいて光ビームｂ１を全反射させ、エバネッセント光を発生させる。また、出射面４ｂも反射ビームｂ２の進行方向とほぼ直角な面を有しており、反射ビームｂ２が集光レンズ１０を介して４分割ディテクタ１１に入射される。また、台形プリズム４は光ディスク５の裏面５ｂ上に浮上する浮上スライダを兼ねており、光ディスク５との間隔を数十ｎｍの距離で一定に保っている。なお、対物レンズ２にて集光している方が、強いエバネッセント光を得ることができＳ／Ｎが高くとれるので、望ましい。
【００１６】
光ディスク５の表面５ａには記録層５ｃが設けられており、この表面近傍に発生したエバネッセント光は光プローブ７ａによって検出される。この光プローブ７ａは、アクチュエータ８によってＸ軸方向とＹ軸方向に移動が可能であり、その移動量はＸ軸駆動信号ｉ２とＹ軸駆動信号ｉ１により制御される。アクチュエータ８は、浮上型のプローブスライダ９によって光ディスク５との間隔を数十ｎｍの距離で一定に保つ。光源１で光ディスク５を照射すると光プローブ７ａで検出されたエバネッセント光は光ファイバー７ｂによってフォトディテクタ６に導かれ、光量信号ｄを出力する。光量信号ｄに基づいて光プローブ７ａの位置決めを後述するようにして行う。
【００１７】
さて、４分割ディテクタ１１から出力される電気信号ａ１、ａ２、ａ３、ａ４は加算器１２ａ、１２ｂに送られ、それらの出力信号ａａ、ａｂは減算器１３ａに入力される。減算器１３ａの出力信号はサンプルホールド回路１４に入力され、光ディスク５上の後述するトラッキング用ピットにおけるトラックエラー信号をサンプリングする。サンプリングされたトラックエラー信号ｃは、対物レンズアクチュエータ３に送られて、対物レンズ２を駆動することにより光ビームｂ１のトラッキングを行う。
【００１８】
次に、フォトディテクタ６から出力された光量信号ｄは第１サンプリング手段１５ａと第２サンプリング手段１５ｂに送られる。光プローブ７ａをＸ軸方向に位置決めする場合は、ＣＰＵ２２からＸ軸駆動手段２０ｂへ命令信号ｌ２が出力され、駆動信号ｉ２によって、まず光プローブ７ａをアクチュエータ８により振動させながら基準位置から一方のＸ方向へ数十ｎｍ〜数百ｎｍの範囲で所定の距離だけ移動させる。このとき第１サンプリング手段１５ａにおいては、この振動に同期したサンプルタイミング信号ｋ１に基づいて光量信号ｄをサンプリングし、第１光量信号ｅ１を出力する。同様に、基準位置から反対のＸ方向へ等距離の位置に光プローブ７ａを移動させ、第２サンプリング手段１５ｂにおいては、振動に同期したサンプルタイミング信号ｋ２に基づいて光量信号ｄをサンプリングし、第２光量信号ｅ２を出力する。第１光量信号ｅ１と第２光量信号ｅ２は減算手段１６に送られ、その差信号ｆが差動増幅手段１８の一方の端子に入力され、他方の端子には目標位置設定手段１７からトラッキング目標値ｇが入力される。例えば、光ビームｂ１の中心に光プローブ７ａを位置決めするときはトラッキング目標値ｇをゼロにセットしておく。差動増幅手段１８の出力ｈはスイッチ手段１９に入力され、Ｘ軸方向の位置決めの時はスイッチ制御命令ｊにより、この信号ｈをＸ軸駆動手段２０ｂへ送る。Ｘ軸駆動手段２０ｂは、スイッチ手段１９からの信号ｈに基づいて駆動信号ｉ２を送り、第１光量信号ｅ１と第２光量信号ｅ２の差がゼロに近づくように光プローブ７ａへフィードバックが行われ、光ビームｂ１のＸ軸方向の中心に光プローブ７ａの位置決め制御が行われる。
【００１９】
次に、上記と同様にして、ＣＰＵ２２からＹ軸駆動手段２０ａへ命令信号ｌ１が出力され各光量信号がサンプリングされ、差動増幅手段１８からの信号ｈをＹ軸駆動手段２０ａへ送るようにスイッチ手段１９にスイッチ制御命令ｊを送って、Ｙ軸方向へ光プローブ７ａを位置決め制御することにより、光プローブ７ａを光ビームｂ１の中心に位置決めする。
【００２０】
図２は、光ビームｂ１が光ディスク５に照射されたときの光スポットと光プローブ７ａとの関係を示す図である。この図では、トラックに沿った方向をＹ軸方向（光ディスク５の回転方向）とし、トラッキング方向をＸ軸方向（光ディスク５の半径方向）とし、光プローブ７ａをＸ軸方向にトラッキングする例を示す。光ディスク５はトラックに沿った方向に案内領域と情報記録領域に分けられており、案内領域にトラッキング用ピット２３ａが設けられ、情報記録領域において光プローブにより情報の記録または再生が行われる。案内領域では、光スポットｍのトラッキングと、これに追従した光プローブ７ａのトラッキング動作を行い、このトラッキング位置を保ったまま情報記録領域において記録または再生が行われる。光スポットｍのトラッキング動作は、案内領域内のトラッキング用ピット２３ａにおいて行われ、光プローブ７ａの位置決め制御は、案内領域内のその他の平坦領域にて行う。これにより光プローブ７ａの位置決め制御がトラッキング用ピット２３ａからの回折の影響を受けずに精度よく行われる。
【００２１】
つまり、光プローブ７ａのトラッキングに先立って、まずトラッキング用ピット２３ａの中心を通るように光スポットｍのトラッキングを行う。光スポットｍがトラッキングされると、次に光スポットｍ内の所定の位置に光プローブ７ａを位置決めするすることにより、実質上光プローブ７ａがトラッキングされる。例えば、図１における目標位置設定手段１７からトラッキング目標値ｇをゼロにセットすると、光スポットｍの中心である情報トラックｔ４に光プローブ７ａが位置決めされる。また、目標位置設定手段１７から出力されるトラッキング目標値ｇを順次切り替えることにより、図２における情報トラックｔ１からｔ７のそれぞれの情報トラックに光プローブを位置決めする。これにより、光スポットｍの直径よりも小さいトラックピッチに光プローブ７ａをトラッキングし、高密度の情報の記録や再生を行う。
【００２２】
次の案内領域に光スポットｍと光プローブ７ａが差し掛かると、トラッキング用ピット２３ｂに基づいて再びトラッキング動作に戻る。以後はこれを繰り返して光ディスク５の全域に光プローブ７ａをトラッキングし、情報の記録または再生を行う。
【００２３】
図３は光スポットｍの光量分布を示す図である。図３（ａ）において、光プローブ７ａの基準位置が光スポットの中心位置からずれていると、基準位置から互いに反対方向の等距離の位置でサンプリングされた光量信号ｅ１と光量信号ｅ２は異なる値となる。図３（ｂ）において、光プローブ７ａの基準位置を光スポットｍの中心の情報トラックｔ４に位置決めする場合は、光量信号ｅ１と光量信号ｅ２との差がゼロに近づくように制御が行われる。すると、図４（ａ）に示すようにやがて光量信号ｅ１と光量信号ｅ２が等しくなり、基準位置は光スポットｍの光量分布の最大値である光スポットの中心に近づく。これによって図４（ｂ）に示すように、情報トラックｔ４に光プローブ７ａを位置決めすることができる。
【００２４】
なお、図２に示したその他の情報トラックｔ１〜ｔ３およびｔ５〜ｔ７に光プローブを位置決めする場合は、図３（ａ）において、光量信号ｅ１と光量信号ｅ２の差を所定の値にセットすることにより、基準位置を光スポットｍ内の任意の情報トラックに位置決めすることができる。
【００２５】
さて、図４において光量信号ｅ１と光量信号ｅ２が等しくなる場合を示したが、これ以外に光量信号ｅ１と光量信号ｅ２の両方がほぼゼロとなり、実質上等しくなる場合がある。これは、基準位置が光スポットｍの外にある場合である。このときは、少々光プローブが移動しても光量信号に変化が現れず、位置決めの制御は困難となる。また、光量信号ｅ１と光量信号ｅ２との差が所定の値となるように制御する場合にも、どちらか一方が光スポットｍの外に出てゼロとなる場合も、片方の位置が特定できないため位置決めの制御は困難となる。
【００２６】
図５に示す装置は、これらを回避するための装置の要部である。フォトディテクタ６から出力された光量信号ｄは、比較器２４の一方の端子に入力され、電圧Ｖ１と比較される。比較器２４の出力信号ｎはＣＰＵ２２に送られ、光量信号ｄが電圧Ｖ１以下となることを監視する。もし、光量信号ｄをサンプリングした光量信号ｅ１と光量信号ｅ２のどちらか一方がＶ１以下となったことを検出したときは、どちらが検出されたかに基づいて光プローブ７ａのずれ方向を判断し、基準位置を光スポットの中心方向へ戻す制御を行う。これにより、サンプリング点が光スポットｍの外へ出ることを防止し、正常な制御を行える。
【００２７】
また、図４において光スポットｍの光量分布を高いＳ／Ｎ比でサンプリングするためには、光スポットｍのフォーカス制御を行って光量分布の形状を急峻にする必要がある。もし、光スポットｍが十分に絞れていない場合は、光量分布の形状がなだらかになり、その裾野が広がってしまうため、サンプリングされた光量信号ｅ１と光量信号ｅ２のＳ／Ｎ比が低下し、光プローブ７ａの正確な位置決めが困難となる。
【００２８】
図６に示す装置は、これを防止するための装置の要部を示す。４分割ディテクタ１１からの出力信号ａ１とａ３は加算器２５ａに入力され、出力信号ａ２とａ４は加算器２５ｂに入力される。それぞれの加算器の出力信号ｎａとｎｂは減算器２６に入力され、いわゆる非点収差法におけるフォーカスエラー信号ｏを出力する。この信号ｏは対物レンズアクチュエータ３に送られて、フォーカス制御を行うと共に、ウインドウコンパレータ２７に入力される。ウインドウコンパレータ２７では、フォーカスエラー信号ｏが所定の範囲内に入っているかどうかを検出することにより、フォーカス制御が正常であるかどうかの検出信号ｐをＣＰＵ２２に出力する。ＣＰＵ２２ではこれによってフォーカス制御を監視し、もしフォーカス制御が異常な場合は光プローブ７ａの位置決め制御を停止する。これにより、光量信号ｅ１と光量信号ｅ２のＳ／Ｎ比の低下による光プローブ７ａの位置決め制御の暴走を防止する。
【００２９】
以上の動作を図７のフローチャートを用いて説明する。まず、光ビームｂ１のフォーカス制御を行い、正常であるかどうか確認する（Ｓ１）。なお、以下の位置決め制御の途中において、もしフォーカス制御が異常であれば、直ちに位置決め制御を中断する。フォーカス制御が正常であれば、光ビームのトラッキング制御を行い、同様に正常であるかどうか確認する（Ｓ２）。これはトラック信号ｃ（図１）が０Ｖ付近の所定の範囲内にあるかどうかを検出することにより行われる。正常であれば、光プローブ７ａを基準位置から左へ移動する（Ｓ３）。光量信号ｅ１をサンプリングする（Ｓ４）。同様に光プローブ７ａを基準位置から右へ移動する（Ｓ５）。光量信号ｅ２をサンプリングする（Ｓ６）。光量信号ｅ１と光量信号ｅ２の少なくとも一方がゼロでないか判断する（Ｓ７）。ゼロでなければ光量信号ｅ１と光量信号ｅ２の差を光プローブ７ａのアクチュエータ８へフィードバックする（Ｓ８）。ゼロであれば、光プローブ７ａの基準位置をスポットの中心方向へ戻すためにステップ移動する（Ｓ９）。再び、Ｓ３へ戻って光プローブ７ａの位置決め制御を行う。
【００３０】
なお、図２における光プローブ７ａのトラッキング方法に限らず、図８に示す方法を用いても良い。トラッキング用ピット８３ａ〜８３ｇは、図２の情報トラックに対し、その本数と同数だけ設ける。例えばトラッキング用ピット８３ａは情報トラックｔ１に位置決めするために設けてあり、以下同様に８３ｇまで７個のトラッキング用ピットを設け、これにより情報トラックｔ７までの全てのトラックに位置決めを行う。まず、情報トラックｔ１に位置決めを行うときは、トラッキング用ピット８３ａを用いて光ビームｂ１をトラッキング制御し、次に光プローブ７ａを光スポットｍの中心に位置決めする。これにより光プローブ７ａを光スポットｍに追従させてトラッキングを行う。以下同様にして、情報トラックｔ７までのトラッキングを行うことができる。これにより、光スポット径よりも小さいトラックピッチに高密度の記録や再生を行うことができる。
【００３１】
また、図１に示した位置決め装置に限らず、図９に示す位置決め装置を用いることができる。図１と同一部には同一符号を付して説明は省略するが、この装置では、加算器１２ａと加算器１２ｂから出力された信号ａａと信号ａｂは加算器１３ｂに入力され、トータル信号ｑを第１サンプリング手段１５ａと第２サンプリング手段１５ｂに送るように構成されている。光プローブ７ａによってエバネッセント光が伝播光に変換されて、光ディスクの表面５ａから放射されるが、このとき反射ビームｂ２の光量は減少する。４分割ディテクタ１１のトータル信号ｑによって、この減少量を検出することにより、以下図１と同様にして光プローブ７ａの位置決めを行う。
【００３２】
図１０（ａ）はトータル信号ｑの減少量を示した図である。トータル信号ｑをサンプリングした光量信号ｅ１と光量信号ｅ２の差がゼロに近づくように光プローブ７ａを制御することにより、図１０（ｂ）における光スポットの中心へ位置決めを行う。図４に比べて、光ファイバー７ｂとフォトディテクタ６を省略でき簡単になるが、４分割ディテクタ１１の出力信号ａ１〜ａ４によって光ビームｂ１のトラッキングに必要なダイナミックレンジと光プローブ７ａの制御に必要な高いＳ／Ｎとの両方満足する必要がある。なお、図１の位置決め装置では、逆にフォトディテクタ６と４分割ディテクタ１１のそれぞれでダイナミックレンジとＳ／Ｎ比を最適化することができるため、高性能な位置決め制御が簡単になる。
【００３３】
【発明の効果】
本発明の光プローブの位置決め装置によれば、スポットの光量分布に応じた所望の位置に光プローブを位置決めできるため、微小な位置決めであっても実現できる。
【００３４】
本発明の光プローブの位置決め装置によれば、位置決めを精確にでき、例えば、基準位置をスポットの中心にすれば、左右対称な光量分布を持つスポットの中心に光プローブを位置決めできるため、スポット中心で情報を検出することができ、その情報のＳ／Ｎを向上できる。
【００３５】
本発明の光プローブの位置決め装置によれば、記録媒体に照射されたビームをトラッキングし、これに追従して光プローブがトラッキングするため、より精確な位置決めができる。
【００３６】
本発明の光プローブの位置決め装置によれば、常にスポット内に光プローブを制御でき、スポット内から光プローブがはずれることによる装置の暴走を防ぐことができる。
【００３７】
本発明の光プローブの位置決め装置によれば、常に最適な合焦状態で光量の検出が安定してでき、光量信号のＳ／Ｎを向上できる。
【００３８】
本発明の光プローブの位置決め装置によれば、フォーカシングが正常でない場合に、装置の暴走を防ぐことができる。
【００３９】
本発明の記録媒体によれば、案内手段にビームをトラッキングさせ、ビームが照射されたスポット内に光プローブを追従させながら、情報トラックに情報の記録または再生を行うことができる。
【００４０】
本発明の記録媒体によれば、ビームを案内手段によってトラッキングし、これに追従した光プローブにより情報トラックに情報の記録または再生を行うことができる。
【００４１】
本発明の記録媒体によれば、スポット内でのトラッキング動作を早くして、光プローブにより情報トラックに情報の記録または再生を行うことができる。
【図面の簡単な説明】
【図１】  本実施の形態に係る光プローブの位置決め装置を示す図である。
【図２】  本実施の形態に係る記録媒体を示す図である。
【図３】  本実施の形態に係る光プローブの位置決め動作を説明するための図である。
【図４】  本実施の形態に係る光プローブを光スポット中心に位置決めする動作を説明するための図である。
【図５】  本実施の形態に係る光プローブを光スポット内に制限する装置を示す図である。
【図６】  本実施の形態に係る光プローブの位置決め制御の暴走を防止する装置を示す図である。
【図７】  本実施の形態に係る光プローブの位置決め方法を示すフローである。
【図８】  本実施の形態に係る他の記録媒体を示す図である。
【図９】  本実施の形態に係る他の光プローブの位置決め装置を示す図である。
【図１０】  図９における光プローブの位置決め動作を説明するための図である。
【符号の説明】
１ 光源
２ 対物レンズ
３ 対物レンズアクチュエータ
４ 台形プリズム
５ 光ディスク
６ フォトディテクタ
７ａ 光プローブ
７ｂ 光ファイバー
８ アクチュエータ
９ プローブスライダ
１０ 集光レンズ
１１ ４分割ディテクタ
【図１】
0003904702.tif 000002
【図２】
0003904702.tif 000003
【図３】
0003904702.tif 000004
【図４】
0003904702.tif 000005
【図５】
0003904702.tif 000006
【図６】
0003904702.tif 000007
【図７】
0003904702.tif 000008
【図８】
0003904702.tif 000009
【図９】
0003904702.tif 000010
【図１０】
0003904702.tif 000011